(57)【要約】【課題】  収納した定形錠剤の取出しを、抵抗を受けながら「滑り」により達成することにより、定形錠剤の取出し形態を、常に一定に規制して行うことを目的とする。【解決手段】  下端の筒壁部分に取出し口１３を開設した、有底筒状の収納筒部１０に定形錠剤１８を積み重ね状に収納し、この収納筒部１０に密に被せられた外筒体１の螺脱上昇変位により取出し口１３を開放して、容器を取出し口１３が下となるように傾けることにより、上の定形錠剤１８の重みで規制されながら下の定形錠剤１８を、取出し口１３から滑り変位させて取出すことにより、その飛び出しを防止する。【選択図】  図５
2010235194.tif 000002
【特許請求の範囲】
【請求項１】
定形錠剤を積み重ねて収納する有底筒状の収納筒部の下端に把持部を垂下連設し、前記収納筒部の筒壁の下端に定形錠剤の取出し口を開設した内筒体と、前記収納筒部に被せ状に外装する有頂筒状の外筒体とから構成し、該外筒体の筒壁部を収納筒部に昇降変位可能に螺合結合させた定形錠剤用筒状容器。
【請求項２】
把持部を筒状に構成し、該把持部に有頂筒状の底栓を密に嵌入組付けし、該底栓で収納筒部の底を形成した請求項１に記載の定形錠剤用筒状容器。
【請求項３】
取出し口の直下となる把持部部分に、前記取出し口の位置を示す目印部を形成した請求項１または２に記載の定形錠剤用筒状容器。
【請求項４】
筒壁部と収納筒部とが螺合限度まで組付いた状態で対向する、取出し口よりも下に位置する前記収納筒部の外周面部分と、前記筒壁部の内周面下端部分との間に、全周に亘ってシール機能部を形成した請求項１〜３のいづれか１項に記載の定形錠剤用筒状容器。
【請求項５】
筒壁部と収納筒部とが螺合限度まで組付いた状態で、取出し口よりも下に位置する前記筒壁部部分に定形錠剤の通過を許す開口部を開設し、該開口部の開設位置を、前記筒壁部の螺脱回動による上昇変位により取出し口に対向する位置に設定した請求項１または２に記載の定形錠剤用筒状容器。
【請求項６】
筒壁部と収納筒部とが螺合限度まで組付いた状態で対向する、取出し口直下の前記収納筒部の外周面部分と、開口部直上の前記筒壁部の内周面部分との間に、全周に亘ってシール機能部を形成した請求項１、２または５に記載の定形錠剤用筒状容器。
【請求項７】
シール機能部を、筒壁部の内周面に形成した円滑なシール内周面と、収納筒部の外周面に形成したシール突条とから構成した請求項４または６に記載の定形錠剤用筒状容器。
【請求項８】
収納筒部の外周面に係止突条を設けると共に、該係止突条に乗り越え不能に開始するストッパー突条を筒壁部の内周面に設け、前記筒壁部の螺脱回動による上昇変位により取出し口から定形錠剤を取出し可能となった位置で、前記係止突条とストッパー突条を係止させる構成とした請求項１〜７の何れか１項に記載の定形錠剤用筒状容器。
【発明の詳細な説明】
【技術分野】
【０００１】
本発明は、形状および大きさの等しい定形錠剤を多数積み重ねて収納し、必要時に取出す定形錠剤用筒状容器に関するものである。
【背景技術】
【０００２】
形状および大きさの等しい固形内容物である定形錠剤を重ねて収納する筒型容器の従来技術として、特開２０００−１６８８５７号公報の図１に示された、細長い筒状のものが知られている。この容器は、有底の細長い円筒体の上部にキャップを備えてなるものであって、複数の定形錠剤（タブレット）をその腹部と腹部とを重ね合わせた状態で容器いっぱいに積み上げるようにして収納する。
【０００３】
上記した従来技術にあっては、容器の構造がきわめて簡単であり、また収納した定形錠剤の取出しは、キャップを取外して円筒体の上端開口部を開放した状態で、この円筒体を傾けて、定形錠剤を転がり落とす、と云う簡単な操作で達成することになる。
【先行技術文献】
【特許文献】
【０００４】
【特許文献１】特開２０００−１６８８５７号公報
【０００５】
しかしながら、上記した従来技術にあっては、定形錠剤の取出しは、定形錠剤の「転がり落下」動作により達成するものであるので、その取出し姿勢を規制することができず、このため取出した定形錠剤の「取り落とし」を起こし易い、と云う問題があった。
【０００６】
また、開口部が定形錠剤の積み重ね方向に開放されているので、円筒体を傾けると収納されている全ての定形錠剤が「転がり落下」しようとし、このため定形錠剤の取出しに際して、その取出し個数を規制することができない、と云う問題があった。
【発明の概要】
【発明が解決しようとする課題】
【０００７】
そこで、本発明は、上記した従来技術における問題点を解消すべく創案されたもので、収納した定形錠剤の取出しを、抵抗を受けながら「滑り」により達成することを技術的課題とし、もって定形錠剤の取出し形態を、常に一定に規制して行うことを目的とする。
【課題を解決するための手段】
【０００８】
上記技術的課題を解決するための本発明の主たる構成は、
定形錠剤を積み重ねて収納する有底筒状の収納筒部の下端に把持部を垂下連設し、収納筒部の筒壁の下端に定形錠剤の取出し口を開設した内筒体と、収納筒部に被せ状に外装する有頂筒状の外筒体とを有すること、
外筒体の筒壁部を収納筒部に昇降変位可能に螺合結合させること、
にある。
【０００９】
内筒体の取出し口は、定形錠剤を積み重ねて収納している収納筒部の筒壁の下端に開設されているので、下端に位置した定形錠剤は、常に取出し口に臨んで位置していることになる。
【００１０】
また、内筒体の収納筒部には、外筒体が被せ状に外装されているので、外筒体が螺合限度まで組付いている状態では、この収納筒部に形成された取出し口は、外筒体の筒壁部により塞がれた状態にあり、定形錠剤が取出し口から妄りに出てしまうことはない。
【００１１】
内筒体の収納筒部に外筒体を螺合限度まで組付けた状態から、外筒体を螺脱方向に回動させて相対的に上昇変位させると、取出し口が開放された状態となるので、この状態で容器を取出し口が下側となるように傾けて、取出し口に臨んでいる定形錠剤を滑らせながら取出す。
【００１２】
この際、取出される定形錠剤には、積み重なった上位の定形錠剤の「重みが」作用した状態となっているので、この「重み」が定形錠剤の「滑り変位」に対して抵抗となり、これにより定形錠剤の取出しは、その「滑り」が規制された状態で行われることになる。
【００１３】
本発明の別の構成は、上記した主たる構成に加えて、把持部を筒状に構成し、この把持部に有頂筒状の底栓を密に嵌入組付けし、この底栓で収納筒部の底を形成した、ものである。
【００１４】
底栓で収納筒部の底を形成したものにあっては、内筒体に外筒体を螺合限度まで組付けた状態で、把持部を通して収納筒部に定形錠剤を充填収納し、しかる後、把持部に底栓を密嵌組付けして、容器を密封することができる。
【００１５】
また、本発明の別の構成は、上記した主たる構成に加えて、内筒体の取出し口の直下となる把持部部分に、取出し口の位置を示す目印部を形成した、ものである。
【００１６】
取出し口の直下となる把持部部分に、取出し口の位置を示す目印部を形成したものにあっては、容器の閉状態では、取出し口が外筒体の筒壁部により隠されていても、目印部により取出し口の位置を認識することができる。
【００１７】
また、本発明の別の構成は、上記した主たる構成に加えて、外筒体の筒壁部と内筒体の収納筒部とが螺合限度まで組付いた状態で対向する、取出し口よりも下に位置する収納筒部の外周面部分と、筒壁部の内周面下端部分との間に、全周に亘ってシール機能部を形成した、ものである。
【００１８】
取出し口よりも下に位置する収納筒部の外周面部分と、筒壁部の内周面下端部分との間に、シール機能部を形成したものにあっては、内筒体に対して外筒体を螺合限度まで組付けた状態で、容器の確実な密閉を得ることができる。
【００１９】
また、本発明の別の構成は、上記した主たる構成に加えて、外筒体の筒壁部と内筒体の収納筒部とが螺合限度まで組付いた状態で、取出し口よりも下に位置する筒壁部部分に定形錠剤の通過を許す開口部を開設し、この開口部の開設位置を、筒壁部の螺脱回動による上昇変位により取出し口に対向する位置に設定した、ものである。
【００２０】
外筒体の筒壁部に開口部を開設したものにあっては、容器の外観として視認することのできる開口部が実質的な「取出し口」として機能する。
【００２１】
また、本発明の別の構成は、上記した主たる構成に加えて、外筒体の筒壁部と内筒体の収納筒部とが螺合限度まで組付いた状態で対向する、取出し口直下の収納筒部の外周面部分と、開口部直上の筒壁部の内周面部分との間に、全周に亘ってシール機能部を形成した、ものである。
【００２２】
取出し口直下の収納筒部の外周面部分と、開口部直上の筒壁部の内周面部分との間に、シール機能部を形成したものにあっては、開口部に影響されることなく、内筒体に対して外筒体を螺合限度まで組付けた状態で、容器の確実な密閉を得ることができる。
【００２３】
また、本発明の別の構成は、上記したシール機能部を形成した構成において、シール機能部を、外筒体の筒壁部の内周面に形成した円滑なシール内周面と、収内筒体の納筒部の外周面に形成したシール突条とから構成した、ものである。
【００２４】
シール機能部を、筒壁部の内周面に形成した円滑なシール内周面と、収納筒部の外周面に形成したシール突条とから構成したものにあっては、突条構造となっているので弾性変形し易いシール突条に対して、円滑なシール内周面が締付け状に押付けられるので、シール突条の潰れ状の弾性変形により、シール突条とシール内周面との全周に亘る確実な密接触を得ることができる。
【００２５】
また、本発明の別の構成は、上記した主たる構成に加えて、内筒体の収納筒部の外周面に係止突条を設けると共に、この係止突条に乗り越え不能に係止するストッパー突条を、外筒体の筒壁部の内周面に設け、筒壁部の螺脱回動による上昇変位により取出し口から定形錠剤を取出し可能となった位置で、係止突条とストッパー突条を係止させる構成とした、ものである。
【００２６】
ストッパー突条と係止突条を設けたものにあっては、内筒体に対する外筒体の螺脱動作を、取出し口から定形錠剤を取出すことができる位置までに規制することができる。
【発明の効果】
【００２７】
本発明は、上記した構成となっているので、以下に示す効果を奏する。
本発明の主たる構成にあっては、一回の取出し操作で取出される定形錠剤は、取出し口に臨んでいるものだけであるので、この臨んでいる定形錠剤だけの取出しを得ることができ、これにより取出す定形錠剤の数を正確に制御することができる。
【００２８】
また、取出される定形錠剤は、取出しの際に「滑り変位」が規制された状態となっているので、妄りに飛び出すことなく、安全に取出すことができる。
【００２９】
底栓で収納筒部の底を形成したものにあっては、内筒体に外筒体を螺合限度まで組付けた状態で、定形錠剤の充填収納を行い、しかる後、容器を密封することができるので、容器に対する定形錠剤の密封収納処理が行い易くなる。
【００３０】
取出し口の直下となる把持部部分に、取出し口の位置を示す目印部を形成したものにあっては、目印部により取出し口の位置を認識することができるので、取出し口の位置を認識して、定形錠剤の安全な取出しを得ることができる。
【００３１】
取出し口よりも下に位置する収納筒部の外周面部分と、筒壁部の内周面下端部分との間に、シール機能部を形成したものにあっては、容器の確実な密閉を得ることができるので、定形錠剤を安全に収納保持することができる。
【００３２】
外筒体の筒壁部に開口部を開設したものにあっては、容器の外観として視認することのできる開口部が実質的な「取出し口」として機能するので、開口部の位置を認識しながら定形錠剤の取出し操作を行うことにより、安全な取出し操作を得ることができる。
【００３３】
取出し口直下の収納筒部の外周面部分と、開口部直上の筒壁部の内周面部分との間に、シール機能部を形成したものにあっては、開口部に影響されることなく、内筒体に対して外筒体を螺合限度まで組付けた状態で、容器の確実な密閉を得ることができるので、定形錠剤を安全に収納保持することができる。
【００３４】
シール機能部を、筒壁部の内周面に形成した円滑なシール内周面と、収納筒部の外周面に形成したシール突条とから構成したものにあっては、シール突条とシール内周面との全周に亘る確実な密接触を得ることができるので、シール機能部による確実で強固なシール作用を得ることができる。
【００３５】
ストッパー突条と係止突条を設けたものにあっては、内筒体に対する外筒体の螺脱動作を、取出し口から定形錠剤を取出すことができる位置までに規制することができるので、外筒体に対する螺脱操作を適正な範囲に規制することができ、これにより外筒体と内筒体の安全な螺合組付けを得ることができると共に、無駄のない取扱い操作を得ることができる。
【図面の簡単な説明】
【００３６】
【図１】本発明の一実施形態例を示す、閉状態の半縦断側面図である。
【図２】図１に示した実施形態例の、底面図である。
【図３】図１に示した実施形態例の、開状態の半縦断側面図である。
【図４】図３中、Ａ−Ａ線に沿って切断矢視した、収納筒部の平断面図である。
【図５】図１に示した実施形態例の、取出し状態時の半縦断側面図である。
【図６】本発明の他の実施形態例を示す、閉状態の半縦断側面図である。
【図７】図５に示した実施形態例の、要部拡大説明図である。
【図８】図５に示した実施形態例の、開状態の半縦断側面図である。
【図９】図８中Ｂ−Ｂ線に沿って切断矢視した、収納筒部と壁筒部の平断面図である。
【図１０】図６に示した実施形態例の、取出し状態時の半縦断側面図である。
【発明を実施するための形態】
【００３７】
以下、本発明の実施形態を、図面を参照しながら説明する。
本発明の定形錠剤用筒状容器は、合成樹脂製の外筒体１と内筒体９の組合せにより縦長筒状容器に構成されており、外筒体１（図１、図６参照）は、円筒状の筒壁部４の上端を頂壁２で塞いだ有頂円筒形状に構成されており、内筒体９（図１、図６参照）は、肉厚円板状となった定形錠剤１８を積み重ね状に収納し、外筒体１が被せ状に外装される有底円筒状の収納筒部１０の下端に、把持部１５を垂下連設して構成されている。
【００３８】
外筒体１の筒壁部４の内周面には、上から順にストッパー突条６と螺条５と円滑なシール内周面８とが形成されており、頂壁２の下面には、収納した定形錠剤１８が頂壁２に衝突するのを防止する肉薄な緩衝リブ３（図１、図６参照）が複数垂下設されている。
【００３９】
内筒体９の収納筒部１０には、上から順に係止突条１１と螺溝１２と取出し口１３とシール突条１４とが形成されており、係止突条１１はストッパー突条６と乗り越え不能に係止することにより、収納筒部１０に対する筒壁部４の螺脱限度位置を設定し、螺溝１２は螺条５と螺合することにより、収納筒部１０に対する筒壁部４の螺合組付きを達成し、そしてシール突条１４はシール内周面８と組合さってシール機能部を構成する。
【００４０】
取出し口１３（図４、図９参照）は、有底構造の収納筒部１０の下端に、定形錠剤１８の厚みよりもわずかに大きい高さ幅で、かつ定形錠剤１８が通過自在な大きさで開口形成されており、それゆえこの取出し口１３に臨む定形錠剤１８は、収納筒部１０に積み重ね状に収納された内の最下位に位置するものだけとなり、定形錠剤１８は一つづつ取出されることになる。
【００４１】
収納した定形錠剤１８の取出しは、外筒体１の筒壁部４で取出し口１３を塞いだ閉状態から、内筒体９に対して外筒体１を螺脱方向に回動させて上昇変位させ、これにより取出し口１３を開放して（図３、図４、図８、図９山椒）、容器を開状態として達成する。
【００４２】
容器を開状態としたならば、容器を取出し口１３が下向きとなるように傾けることにより、最下位に位置している定形錠剤１８だけを滑らせて取出すが、この際、取出される定形錠剤１８の滑り移動に対する抵抗が強い場合には、容器を掌に軽く打ち付ける等の軽い衝撃を与えて、定形錠剤１８の滑り移動を促しても良い。
【００４３】
図１ないし図５に示した第一の実施形態例の場合、シール内周面８（図３参照）は、筒壁部４の内周面下端部に形成されており、シール突条１４（図３参照）は、取出し口１３よりも下位に位置する収納筒部１０の外周面下端部に形成されている。
【００４４】
また、把持部１５には、取出し口１３の直下に位置している部分に平坦壁構造の目印部１６（図２参照）が形成されており、容器が閉状態なっていて取出し口１３が見えない状態であっても、この目印部１６を目安として取出し口１３の位置を認識することができるようにしている。
【００４５】
さらに、収納筒部１０は、一体設した底板により有底円筒形状となっている（図１参照）ので、収納筒部１０に定形錠剤１８を収納した後、内筒体９に対する外筒体１の螺合組付けを行うことになる。
【００４６】
図６ないし図１０に示した第二の実施形態例の場合、内筒体９に外筒体１が螺合限度まで組付いた状態で、取出し口１３よりも下に位置する筒壁部４部分に、定形錠剤１８の通過を許す大きさの開口部７を開設しており、この開口部７は、筒壁部４の螺脱回動による上昇変位により取出し口１３に対向する位置（図８、図９参照）に設けられている。
【００４７】
取出される定形錠剤１８は、この開口部７から取出されるので、使用者は、この開口部７を視認して定形錠剤１８の取出しを行うことにより、定形錠剤１８を不良方向に取出すと云う、定形錠剤１８の不良取出し処理を行う恐れがない。
【００４８】
この開口部７の図示した開設位置（図６参照）は、収納筒部１０に筒壁部４が螺合限度まで組付いた状態で、取出し口１３に対して、筒壁部４と収納筒部１０の螺合結合の一ピッチ分だけ直下となった位置に設定されており、これにより収納筒部１０に対して筒壁部４を螺脱方向に一回転させることにより、開口部７を取出し口１３に正確に対向させる（図８参照）ことができる。
【００４９】
また、収納筒部１０に対して筒壁部４を螺脱回動させて取出し口１３の開口部７を対向させる際に、取出し口１３と開口部７との位置が一致したところで、ストッパー突条６と係止突条１１を係止させる（図８参照）ことにより、取出し口１３に対する開口部７の位置合せ操作が簡単で正確なものとなる。
【００５０】
シール内周面８（図７参照）は、開口部７の直上の筒壁部４の内周面部分に形成されており、シール突条１４（図７参照）は、取出し口１３の直下の収納筒部１０の外周面部分に形成されている。
【００５１】
この場合、シール内周面８とシール突条１４から構成されるシール機能部は、開口部７に影響されることなく容器を密閉することができることになる。
【００５２】
さらに、収納筒部１０の底は、収納筒部１０の下端部に密に嵌着固定された有頂円筒状の底栓１７（図６参照）で形成されているので、内筒体９に外筒体１を螺合限度まで組付けた状態で、収納筒部１０に定形錠剤１８を収納し、次いで底栓１７を打栓状に組付けることが可能であり、この場合、容器に対する定形錠剤１８の自動充填密封処理が容易となる。
【００５３】
なお、図示実施例では、取出し口１３および開口部７の大きさを、一つの定形錠剤１８の大きさに対応させて設定しているが、取出し口１３および開口部７の大きさはこれに限定されることはなく、例えば重なった二つの定形錠剤１８の大きさに対応させて設定することも可能であり、この場合は、一度に二つの定形錠剤１８を取出すことが可能となる。
【００５４】
また、定形錠剤１８は、その形状が肉厚円板状に特定されることはなく、滑り変位可能な定形であれば良い。
【産業上の利用可能性】
【００５５】
以上説明したように、本発明における定形錠剤用筒状容器は、積み重ね状に収納した定形錠剤を、規制した状態で滑り変位させて取出すので、取出される定形錠剤を飛び出させることがないものであり、定形物を安全に所望数づつ取出す技術として、幅広い利用展開が期待できる。
【符号の説明】
【００５６】
１  ；外筒体
２  ；頂壁
３  ；緩衝リブ
４  ；筒壁部
５  ；螺条
６  ；ストッパー突条
７  ；開口部
８  ；シール内周面
９  ；内筒体
１０；収納筒部
１１；係止突条
１２；螺溝
１３；取出し口
１４；シール突条
１５；把持部
１６；目印部
１７；底栓
１８；定形錠剤
【図１】
2010235194.tif 000003
【図２】
2010235194.tif 000004
【図３】
2010235194.tif 000005
【図４】
2010235194.tif 000006
【図５】
2010235194.tif 000007
【図６】
2010235194.tif 000008
【図７】
2010235194.tif 000009
【図８】
2010235194.tif 000010
【図９】
2010235194.tif 000011
【図１０】
2010235194.tif 000012